(57)【要約】【課題】  リールを竿に取り付けるのに、簡易に行うことのできるリールシートを提供する。【解決手段】  リール脚４Ａの足部４ａを取り付けて支持する取付フード１Ｂと、竿３に載置されるシートベース部１Ａと、シートベース部１Ａを竿３に載置した状態でその載置状態を固定する取付用固定ベルト１Ｄとを備え、竿３に対して着脱自在に構成してある。【選択図】        図３
2006246812.tif 000002
【特許請求の範囲】
【請求項１】
リール脚の足部を取り付けて支持するリール足取付部と、竿に載置されるシートベース部と、前記シートベース部を竿に載置した状態でその載置状態を固定する固定具とを備え、竿に対して着脱自在に構成してあるリールシート用のシート部材。
【請求項２】
リール脚の二つの足部を、夫々、取り付けて支持する一対のリール足取付部と、竿に載置されるシートベース部と、前記シートベース部を竿に載置した状態でその載置状態を固定する固定具と、前記一対のリール足取付部を遠近方向に移動可能な機構とを備え、竿に対して着脱自在に構成してあるリールシート。
【請求項３】
前記固定具が竿とともに前記リール足取付部を周回して巻付け固定する固定用ベルトである請求項１又は２記載のリールシート用のシート部材。
【請求項４】
請求項１又は３記載のリールシート用のシート部材、或いは、請求項２記載のリールシートを装備する釣り竿。
【発明の詳細な説明】
【技術分野】
【０００１】
本発明は、リールを竿の所定箇所に取り付ける際に使用されるリールシートに関する。
【背景技術】
【０００２】
竿にリールを取り付けるリールシートとして、竿に対して着脱自在に構成してある板状リールシートがある。上記した板状リールシートでは、リール脚の足部を支持する固定のフード部と、他方の足部を挿入させて支持する可動のフード部とを備えて構成してある（特許文献１参照）。
【０００３】
【特許文献１】特開平０７−１５５０９３号公報（段落番号〔０００８〕〔０００９〕、図１）。
【発明の開示】
【発明が解決しようとする課題】
【０００４】
上記した板状リールシートは、竿の所定箇所に固定するのに、固定用の糸やテープ等をシートベースとそのシートベースを載置する竿とに周回させて締め付け固定することによって行っており、リールシート自体に取付部を装備してはなかった。
【０００５】
本発明の目的は、リールを竿に取り付けるのに、簡易に行うことのできるリールシートを提供する点にある。
【課題を解決するための手段】
【０００６】
〔構成〕
請求項１に係る発明の特徴構成は、リール脚の足部を取り付けて支持するリール足取付部と、竿の所定箇所に載置されるシートベース部と、前記シートベース部を竿に載置した状態でその載置状態を固定する固定具とを備え、竿に対して着脱自在に構成してある点にあり、その作用効果は次の通りである。
【０００７】
〔作用〕
つまり、このリールシート部材は独自に竿への取付部を有しているので、その取付部でリールシート部材を竿に取付固定することができる。
しかも、リールシート部材は、リール脚の一方の足部を載置支持するリール足取付部を有しているだけなので、二つのリールシート部材で夫々リール足部を支持することによって、リールを竿に取り付けることができる。
【０００８】
〔効果〕
したがって、別個に取付用の糸等の取付具を必要としない。しかも、リールシート部材を一対使用するだけで、リール脚を竿の任意の位置に取り付けることができる。
このように、簡易なリールシートを構成できたので、従来使用されている板状リールシートが故障した場合に、その故障した板状リールシートを修理する間、本発明に係るリールシート部材を使用してリールを竿に取り付けて釣り操作に供与できる。
【０００９】
請求項２に係る発明の特徴構成は、リール脚の二つの足部を、夫々、取り付けて支持する一対のリール足取付部と、竿に載置されるシートベース部と、前記シートベース部を竿に載置した状態でその載置状態を固定する固定具と、前記一対のリール足取付部を遠近方向に移動可能な機構とを備え、竿に対して着脱自在に構成してある点にあり、その作用効果は次の通りである。
【００１０】
〔作用効果〕
一対のリール足取付部を備えたものを一体に形成してリールシートを構成するとともに、竿への固定具を備えているので、リールシートとして着脱が容易に行えるものを提供できるに至った。
【００１１】
請求項３に係る発明の特徴構成は、請求項１又は２に係る発明において、前記固定具が竿とともに前記リール足取付部を周回して巻付け固定する固定用ベルトである点にあり、その作用効果は次の通りである。
【００１２】
〔作用効果〕
固定具がベルトで構成されているので、竿の径等によって取付対象が制限されることが少なく、汎用性の高いリールシートを提供できるに至った。
【００１３】
請求項４に係る発明の特徴構成は、請求項１又は３記載のリールシート用のシート部材、或いは、請求項２記載のリールシートを装備する釣り竿である点にあり、その作用効果は次の通りである。
【００１４】
〔作用効果〕
この種のリールシート、又は、その部材は、釣り竿に対して着脱自在に構成されるので、釣り竿に一体形成されるリールシートが形成されているものであっても、このリールシート又はその部材を補助部品等として抱き合わせて釣り竿に装備させて販売等が可能である。
【発明を実施するための最良の形態】
【００１５】
〔第１実施形態〕
リールシートＡについて説明する。図１〜図３に示すように、リールシートＡは一対の第１、第２リールシート用のシート部材１、２とで構成されるものであり、第１、第２リールシート用のシート部材１、２は後記するように勝手違い状態に形成されている。
【００１６】
つまり、図１に示すように、第１シート部材１は、竿３の所定位置に載置される板状のシートベース部１Ａと、リール４の脚部４Ａの足部４ａを載置する円筒状の取付フード（リール足取付部の一例）１Ｂと、シートベース部１Ａの横側一端より立ち下げた側壁部１Ｃと、側壁部１Ｃの両端より延出した取付用固定ベルト１Ｄ、１Ｄとで形成してある。側壁部１Ｃを取付フード１Ｂより延出し、その延出部分に係合ピン１ｊを形成してある。
【００１７】
これに対して第２シート部材２では、竿３の所定位置に載置される板状のシートベース部２Ａと、リール足取付部としての円筒状の取付フード２Ｂと、シートベース部２Ａの横側一端より立ち下げた側壁部２Ｃと、側壁部の両端より延出した取付用固定ベルト２Ｄ、２Ｄとが形成してある。そして、側壁部２Ｃを取付フード２Ｂより延出し、その延出部分に係合孔２ｊを形成してある。
【００１８】
第１シート部材１と第２シート部材２との側壁部１Ｃ、２Ｃ同士を重ね合わせるように、第１シート部材１と第２シート部材２とを並べ、第２シート部材２の側壁部２Ｃに形成した長孔２ｊに第１シート部材１の側壁１Ｃに形成した係合ピン１ｊを係合させて、第１シート部材１と第２シート部材２とを連結して一つのリールシートＡとして構成する。
上記したように、長孔２Ｊと係合ピン１ｊとで遠近方向に移動可能な機構Ｂを構成しているので、両シート部材１，２の取付フード１Ｂ、２Ｂの間隔を変更できる構成を採っている。これによって、リール４の脚部４Ａにおける足部４ａの長さが異なっていても、両シート部材１，２の間隔を変更することによって、取付フード１Ｂ、２Ｂとの間隔を適切に設定できる。
【００１９】
図２に示すように、取付用固定ベルト１Ｄ、１Ｄは、シートベース部１Ａを竿３に載置した状態でその載置状態を固定する固定具として構成される。取付用固定ベルト１Ｄ、１Ｄの先端部には係合孔１ａを穿設してあり、側壁部１Ｃに係合孔１ａと係合する係合ピン１ｂを立設してある。
第１シート部材は、取付用固定ベルト１Ｄ、１Ｄを含めて強化繊維等で強化されたエンジニアリングプラスティックを利用して一体形成する方法もあるが、シートベース部１Ａ及び取付用固定ベルト１Ｄ、１Ｄを布で形成するとともに、取付フード１Ｂを布に比べて硬質の皮等で形成してもよい。
【００２０】
〔第２実施形態〕
第１実施形態と異なる部分を主として説明する。第１実施形態ではシートベース部１Ａを竿３に載置した状態でその載置状態を固定する固定具として係合ピン方式を採用したが、図４に示すように、止め金具５を採用したものであってもよい。つまり、シートベース部１Ａの横側一端より立ち下げた側壁部１Ｃに、受止係止金具５ａを取付け構成する。一方、側壁部１Ｃよりベルト状に立ち下げた取付固定ベルト１Ｄの先端部に受止係止金具５ａに係止する金属製の係止リング５ｂを揺動自在に枢支してある。係止リング５ｂと同一軸芯回りに揺動自在に止めレバー５ｃを軸支してある。
【００２１】
上記のような構成によって、係止リング５ｂを受止係止金具５ａに係止するとともに、止めレバー５ｃで係止リング５ｂを引き操作して、その止めレバー５ｃをデッドポイントを越える位置まで揺動偏位させると、係止リング５ｂの受止係止金具５ａへの係合状態が保持される。
【００２２】
〔第３実施形態〕
第１実施形態、及び、第２実施形態においては、リール脚４Ａの足部４ａを収納して保持するリール足取付部として円筒状のフードを採用してあるが、ここでは、円筒状の一部分を切り欠いたものをリール足の取付部として採用してもよい。つまり、図５に示すように、円筒状のフード部分におけるシートベース部１Ａより上方に離間する部位を切り取り、一対の側壁部分１ｈ、１ｈだけを残したものをリール足取付部として構成してもよい。
このように構成すると、第１シート部材１と第２シート部材２とを一体のものとし手形成でき、かつ、リール脚４Ａの足部４ａを挿入固定する両フード１ａ間の間隔を第１実施形態で示す移動可能な調節機構Ｂを備える必要がない。
【００２３】
〔別実施形態〕
（１）  シート部材１，２の材質としては、樹脂の一体成形や布と皮革との組み合わせ等が考えられるが、シートベース部１Ａ、２Ａとリール脚取付部１Ｂ、２Ｂとを金属材料で形成し、固定具１Ｄ、２Ｄを皮革等で形成してもよい。
（２）  二つのシート部材１，２としては、長孔２ｊと係合ピン１ｊとによる調節機構Ｂを備えずに、単独で使用可能なものに構成してもよい。
【図面の簡単な説明】
【００２４】
【図１】第１、第２シート部材でリールを取り付けた状態を示す側面図
【図２】リール脚固定用バンドを示す縦断正面図
【図３】第１、第２シート部材でリールを取り付けた状態を示す斜視図
【図４】図２における別実施構造を示す縦断正面図
【図５】第１、第２シート部材を一体で形成した状態を示す斜視図
【符号の説明】
【００２５】
１、２        第１、第２リールシート用のシート部材
１Ａ、２Ａ    シートベース部
１Ｂ、２Ｂ    リール脚取付部
１Ｄ、２Ｄ    固定部
３            竿
４            リール
４Ａ          リール脚
４Ｂ          足部
Ｂ            遠近方向に移動可能な機構
【図１】
2006246812.tif 000003
【図２】
2006246812.tif 000004
【図３】
2006246812.tif 000005
【図４】
2006246812.tif 000006
【図５】
2006246812.tif 000007